(57)【要約】【課題】シート状部材の切断作業を容易迅速に行うことができる積層シート体の切断装置を提供する。【解決手段】複数枚のシート状部材３，４を積層してなる積層シート体の前記複数枚のシート状部材３，４のうちの少なくとも表面又は裏面となる一つシート状部材４を他のシート状部材３とを相対的に移動させて分離する分離手段８と、該分離手段８で分離した前記少なくとも一つ又は他のシート状部材３の切断すべき部分を切断する切断手段９とを備えている。【選択図】  図４
2013111685.tif 000002
【特許請求の範囲】
【請求項１】
複数枚のシート状部材を積層してなる積層シート体の前記複数枚のシート状部材のうちの少なくとも表面又は裏面となる一つのシート状部材と他のシート状部材とを相対的に移動させて分離する分離手段と、該分離手段で分離した前記少なくとも一つ又は他のシート状部材の切断すべき部分を切断する切断手段とを備えていることを特徴とする積層シート体の切断装置。
【請求項２】
前記シート状部材の積層方向が上下方向となるように積層シート体を載置する載置台を備え、
前記分離手段は、前記載置台上の積層シート体のシート状部材を上下方向両側から吸着する上下一対の吸着パッドと、該上下一対の吸着パッドがシート状部材を吸着した状態で、一方の吸着パッドと他方の吸着パッドとを互いに離間するように相対的に移動させる吸着パッド移動手段とを備え、前記上下一対の吸着パッドが前記少なくとも一つのシート状部材及び他のシート状部材を吸着した状態で、該両吸着パッドを前記吸着パッド移動手段で相対的に移動させることによって、前記少なくとも一つのシート状部材と他のシート状部材とを分離するように構成されていることを特徴とする請求項１に記載の積層シート体の切断装置。
【請求項３】
前記吸着パッド移動手段は、一方の吸着パッドを横軸回りで回転させることによって、該一方の吸着パッドを他方の吸着パッドに対して離間させるように構成されていることを特徴とする請求項２に記載の積層シート体の切断装置。
【発明の詳細な説明】
【技術分野】
【０００１】
本発明は、複数枚のシート状部材を積層してなる積層シート体において、特定のシート状部材の切断すべき部分を切断する積層シート体の切断装置に関する。
【背景技術】
【０００２】
積層シート体としては、例えば電極板を樹脂製のシート状部材で両側から挟み込むように積層してなる電極パッドが挙げられる（例えば、特許文献１参照）。
【０００３】
前記電極板は、電極本体部と、該電極本体部の一端に形成され、通電用のリード線を接続するための端子部とを備えている。そして、前記電極パッドの製造工程について説明すれば、上下一対の長尺なシート状部材を搬送し、それら搬送されてきた上下のシート状部材間に電極板を配置することによって、電極板をシート状部材で両側から挟み込んでいく。電極板とシート状部材とが積層された状態で、上下に重なったシート状部材を電極板よりも少し大きなサイズに金型を用いて打ち抜くことによって、電極パッドを製造している。
【先行技術文献】
【特許文献】
【０００４】
【特許文献１】特開平８−１９６５４５号公報（図２参照）
【発明の概要】
【発明が解決しようとする課題】
【０００５】
ところで、前記のように製造された電極パッドは、電極板全体、つまり電極本体部だけでなく端子部も表裏両面がシート状部材で覆われた状態になっているため、そのままの状態では、シート状部材が邪魔となって端子部にリード線をかしめ等により接続することができない。そこで現状では、作業者は、一方のシート状部材の端子部を覆っている部分を端子部から引き離し、その状態で鋏などを用いて前記引き離した部分（つまり、端子部を覆っている部分）を手作業で切断している。こうして、端子部を露出させ、露出させた端子部にリード線をかしめ等により接続している。
【０００６】
しかしながら、上記のように端子部を露出させるための前記手作業は、手間のかかる煩わしいものであり、改善の余地があった。
【０００７】
そこで、本発明は、かかる事情に鑑みてなされたもので、シート状部材の切断作業を容易迅速に行うことができる積層シート体の切断装置を提供することを課題とする。
【課題を解決するための手段】
【０００８】
本発明に係る積層シート体の切断装置は、複数枚のシート状部材を積層してなる積層シート体の前記複数枚のシート状部材のうちの少なくとも表面又は裏面となる一つのシート状部材と他のシート状部材とを相対的に移動させて分離する分離手段と、該分離手段で分離した前記少なくとも一つ又は他のシート状部材の切断すべき部分を切断する切断手段とを備えていることを特徴としている。
【０００９】
本発明によれば、分離手段によって、少なくとも一つのシート状部材と他のシート状部材とを相対的に移動させて分離することができる。そして、分離手段で分離した一つ又は他のシート状部材の切断すべき部分を切断手段で切断することができる。
【００１０】
また、本発明に係る積層シート体の切断装置においては、前記シート状部材の積層方向が上下方向となるように積層シート体を載置する載置台を備え、前記分離手段は、前記載置台上の積層シート体のシート状部材を上下方向両側から吸着する上下一対の吸着パッドと、該上下一対の吸着パッドがシート状部材を吸着した状態で、一方の吸着パッドと他方の吸着パッドとを互いに離間するように相対的に移動させる吸着パッド移動手段とを備え、前記上下一対の吸着パッドが前記少なくとも一つのシート状部材及び他のシート状部材を吸着した状態で、該両吸着パッドを前記吸着パッド移動手段で相対的に移動させることによって、前記少なくとも一つのシート状部材と他のシート状部材とを分離するように構成されていてもよい。
【００１１】
かかる構成によれば、上下一対の吸着パッドがそれぞれシート状部材を吸着した状態で一方の吸着パッドと他方の吸着パッドとが離間するように、吸着パッド移動手段で両方の吸着パッドを相対的に移動させることによって、前記一つのシート状部材と他のシート状部材とを引き離して分離することができる。
【００１２】
また、本発明に係る積層シート体の切断装置においては、前記吸着パッド移動手段は、一方の吸着パッドを横軸回りで回転させることによって、該一方の吸着パッドを他方の吸着パッドに対して離間させる構成であってもよい。
【００１３】
かかる構成によれば、一方の吸着パッドを横軸回りで回転させる構成にすることによって、例えば一方の吸着パッドをスライドさせて他方の吸着パッドに対して離間させる構成に比べて、引き離しに要する吸着パッドの移動スペースを少なくすることができる。
【発明の効果】
【００１４】
以上の如く、本発明によれば、分離手段と切断手段とを備えることによって、少なくとも一つのシート状部材と他のシート状部材とを引き離して切断することができ、シート状部材の切断作業を容易迅速に行うことができる。したがって、シート状部材の切断作業を、大きな労力を必要とすることがなく容易に行える。特に、電極パッドにおいてシート状部材の端子部を覆っている部分を切断する場合に有効である。
【図面の簡単な説明】
【００１５】
【図１】本発明の積層シート体の切断装置の斜視図である。
【図２】電極パッドを示し、（ａ）はそれの平面図、（ｂ）は図２（ａ）におけるＩ−Ｉ線断面図である。
【図３】（ａ），（ｂ），（ｃ），（ｄ）は切断手順を示す一部断面にした正面図である。
【図４】（ａ）はシート状部材を切断する直前の状態を示す要部の縦断側面図、（ｂ）はシート状部材を切断した後の状態を示す要部の縦断側面図である。
【図５】上側の延出部を切断した電極パッドを示し、（ａ）はそれの上側部分の平面図、（ｂ）は図５（ａ）におけるＩＩ−ＩＩ線断面図である。
【発明を実施するための形態】
【００１６】
以下、本発明に係る積層シート体の切断装置の一実施形態について、図面を参酌して説明する。
【００１７】
積層シート体としては、人体の表面に貼り付けて使用する電極パッド１（図２（ａ），（ｂ）参照）が挙げられる。また、切断装置は、図１に示し、電極パッド１の端子部２３（図２（ａ）参照）を露出させるために後述する一方のシート状部材３の切断すべき部分を切断する装置として用いられる。
【００１８】
電極パッド１は、図２（ａ），（ｂ）に示すように、図示しない通電用のリード線がかしめ（又は半田付け）等により接続される電極板２と、電極板２の表裏両面に貼り付けられて積層されるシート状部材３，４とから構成される。
【００１９】
電極板２は、略長方形状の左右一対の電極本体部２１，２２と、電極本体部２１，２２の長手方向一端でかつ短手方向（左右幅方向）中央部から長手方向に延びる略正方形状の端子部２３とを備えている。
【００２０】
電極本体部２１，２２及び端子部２３は、可撓性を有して人体表面に沿って変形でき、かつ、電気抵抗の小さいものであれば、どのようなものであってもよい。例えば、アルミニウム箔、ステンレス箔、銅箔、ニッケル箔等の金属箔、合成樹脂フィルム上にカーボン、銀、塩化銀等の導電材料を合成樹脂等のバインダーを介して層状に付着させた複合フィルム等が挙げられ、特に金属箔が好ましく、その中でもアルミニウム箔がより好ましい。
【００２１】
一方のシート状部材３は、電極板２の外形よりも大きな外形を有し、２つの電極本体部２１，２２を覆う本体部３１と、本体部３１の長手方向一端でかつ短手方向（左右幅方向）中央部から長手方向に延びて端子部２３を覆う延出部３２とを備えている。前記本体部３１の長手方向の延出部３２側端で、かつ、延出部３２を挟んで左右方向両側の部位には、本体部の長手方向外側に凸となるように湾曲して膨出する左右一対の膨出部３１Ａ，３１Ａを備えている。また、シート状部材３は、非導電性の樹脂フィルムからなり、ポリエチレン、ポリウレタン等からなっている。尚、シート状部材３の電極本体部２１，２２側表面に粘着剤層３１１を備えており、電極本体部２１，２２にシート状部材３を貼り付けることができる。また、シート状部材３の電極本体部２１，２２側表面のうちの端子部２３に対応する箇所には、粘着剤層は備えていない。
【００２２】
他方のシート状部材４は、電極板２の外形よりも大きな外形を有し、２つの電極本体部２１，２２を覆う本体部４１と、本体部４１の長手方向一端でかつ短手方向（左右幅方向）から長手方向に延びて端子部２３を覆う延出部４２とを備えている。前記本体部４１の長手方向の延出部３２側端で、かつ、延出部３２を挟んで左右方向両側の部位には、本体部の長手方向外側に凸となるように湾曲して膨出する左右一対の膨出部４１Ａ，４１Ａを備えている。また、シート状部材４は、不織布からなり、セルロース、絹、麻等の天然繊維やポリエステル、ナイロン、レーヨン、ポリエチレン、ポリプロピレン、ポリウレタン等の合成繊維、または、それらの混紡が使用可能であり、必要に応じて、バインダーが用いられ、更に、着色される場合がある。尚、シート状部材４の電極本体部２１，２２側表面に粘着剤層４１１を備えており、電極本体部２１，２２にシート状部材４を貼り付けることができる。また、シート状部材４の電極本体部２１，２２側表面のうちの端子部２３に対応する箇所にも、粘着剤層４１１を備えている。従って、一方のシート状部材３の延出部３２に対して他方のシート状部材４の延出部４２を引き離すことによって、延出部４２に貼り付けられている端子部２３が延出部４２と一体となって移動する。このため、一方のシート状部材３の延出部３２に対して他方のシート状部材４の延出部４２を引き離すだけで、端子部２３も一体的に引き離すことができる。
【００２３】
前記構成の電極パッド１は、電極板２の端子部２３の表裏両面もシート状部材３，４で覆われた状態になっているため、端子部２３にリード線をかしめ等により接続することができない。そのため、本発明の切断装置を用いて、一方のシート状部材３の延出部（切断すべき部分）３２に対して他方のシート状部材４の延出部４２を端子部２３と共に引き離し、その状態で一方のシート状部材３の延出部（切断すべき部分）３２を切断する。この切断によって、端子部２３を露出させ、露出させた端子部２３にリード線をかしめ等により接続することができる。
【００２４】
次に、切断装置について説明すれば、図１に示すように、直方体状の金属製の本体部５と、本体部５の上面に取り付けられた電極パッド置き台６と、電極パッド置き台６上に置かれる電極パッド１の位置決めを行うための位置決め用枠７と、位置決め用枠７で位置決めされた電極パッド１の一方のシート状部材３に対して他方のシート状部材４を引き離して分離する分離手段８と、分離手段８で分離した一方のシート状部材３の切断すべき部分を切断する切断手段９とを備えている。前記電極パッド置き台６と位置決め用枠７とから、シート状部材３，４の積層方向が上下方向となるように積層シート体を載置する載置台を構成している。尚、前記電極パッド置き台６から前記載置台を構成して実施することもできる。
【００２５】
また、図示していないが、位置決め用枠７で位置決めされた電極パッド１の存在を検出するための検出手段を本体部５内に設けている。その検出手段からの検出信号に基づいて切断装置の作動を制御するための制御装置（図示せず）や各種の駆動用のアクチュエータなどを本体部５内に設けている。また、本体部５の４つの角部のうちの２つの角部のそれぞれには、緊急停止ボタン１６を設けている。
【００２６】
電極パッド置き台６は、上面が扁平な面に構成された平面視略長方形状の金属板からなり、その長手方向一端の横幅方向中央部に長手方向内側に切り欠き形成された切欠部６Ａを備えている。この切欠部６Ａに指を入れることによって、切断が完了した電極パッド置き台６上の電極パッド１を上下から掴んで容易に取り出すことができる。
【００２７】
位置決め用枠７は、電極パッド１の長手方向一辺（図２（ａ）において左側長辺１Ｌ）と短手方向一辺（図２（ａ）において下側短辺１Ｓ）とが当接して電極パッド１の位置決めを行う金属製のＬ字状部材からなっている。
【００２８】
分離手段８は、載置台を構成する電極パッド置き台６に位置決め用枠７で位置決めされた状態で置かれた電極パッド１を上下方向両側から吸着する上下一対の吸着パッド１０，１１と、上下一対の吸着パッド１０，１１が吸着状態で図３で示す下側の吸着パッド１１を上側の吸着パッド１０（図３では上側）に対して離間する側に移動させる吸着パッド移動手段１２とを備えている。
【００２９】
図３（ａ），（ｂ），（ｃ），（ｄ）に示すように、上側に位置する吸着パッド１０は、ゴム製の吸引パッド部１０１と、吸引パッド部１０１が取り付けられる金属製の保持部１０２と、保持部１０２を介して吸引パッド部１０１に吸引用のエアを供給するためのコンプレッサー（図示せず）と、保持部１０２とコンプレッサーとを連結するエア案内用のホース（図示せず）とを備えている。また、吸引パッド部１０１の上端には、伸縮自在なエアシリンダ１３が連結されている。従って、エアシリンダ１３の伸長作動により吸引パッド部１０１の下端を電極パッド１の上端に接触させる状態（図３（ａ）の実線参照）にすることができ、エアシリンダ１３の短縮作動により吸引パッド部１０１の下端を電極パッド１の上端から離間させる状態（図３（ａ）の二点鎖線参照）にすることができる。前記エアシリンダ１３の上端は、図１に示すように、本体部５の上面に固定された逆Ｌ字状の支持アーム１４の水平部の先端に取り付けられている。
【００３０】
下側に位置する吸着パッド１１は、ゴム製の吸引パッド部１１１と、吸引パッド部１１１が取り付けられる金属製の保持部１１２と、保持部１１２を介して吸引パッド部１１１に吸引用のエアを供給するためのコンプレッサー（図示せず）と、保持部１１２とコンプレッサーとを連結するエア案内用のホース（図示せず）とを備えている。
【００３１】
吸着パッド移動手段１２は、下側の吸着パッド１１を電極パッド１の短辺方向（左右幅方向）に沿った横軸１５回りで回転させて一方のシート状部材３に対して他方のシート状部材４を引き離す回転シリンダからなっている。この回転シリンダ１２による引き離しによって、他方のシート状部材４に一体化している端子部２３も引き離すことができる。
【００３２】
横軸１５は、前記のように回転シリンダ１２の駆動により回動されるようになっている。従って、図３（ａ）において、横軸１５を時計回りに回転させるように回転シリンダ１２を駆動することによって、下側のシート状部材４を吸着する位置から下方側に９０度回転させて上側のシート状部材３から引き離した分離位置まで移動させることができる（図３（ｂ）参照）。この分離位置で上側のシート状部材３の切断すべき部分を切断した後において、横軸１５を前記とは反対の反時計回りに回転させるように回転シリンダ１２を駆動することによって、次の電極パッド１の下側のシート状部材４を吸着する吸着位置まで移動させることができる。
【００３３】
下側の吸着パッド１１の保持部１１２が、支持ブラケット１７を介して横軸１５に取付られており、横軸１５の位置及び支持ブラケット１７の寸法などによって、下側の吸着パッド１１の回転軌跡が設定される。
【００３４】
切断手段９は、図１及び図４（ａ），（ｂ）に示すように、上側のシート状部材３の端子部２３に対応する箇所を切断する鋏１８と、鋏１８をシート状部材３の端子部２３に対応する箇所となる切断位置と該切断位置から離間した待機位置とに移動させるためのロッドレスシリンダ２４と、鋏１８を切断位置で切断作動させるためのシリンダ２５とを備えている。
【００３５】
鋏１８は、基端部でピン１９により連結され、コイルバネ（図示せず）により開き側に付勢される２枚の切刃１８Ａ，１８Ｂからなっている。これら切刃１８Ａ，１８Ｂは、シリンダ２５によりピン１９回りで閉じ側に操作して、上側のシート状部材３の特定部分を切断することができる。
【００３６】
ロッドレスシリンダ２４は、ピストンロッドのないエアシリンダで、シリンダチューブ２４Ａから突出したピストンヨーク２４ａに鋏１８が収納固定されている前記シリンダ２５に取り付けられている。よって、ロッドレスシリンダ２４のピストンヨーク２４ａの移動により鋏１８が切断位置（図３（ｃ）二点鎖線の位置）と待機位置（図３（ｃ）実線の位置）とに移動できるようになっている。鋏１８は、図３（ｃ）及び図４（ａ），（ｂ）に示すように、先端側ほど上方に位置する前上がり傾斜姿勢になっており、この姿勢を維持した状態で図３（ｃ）に実線で示す待機位置から２点鎖線で示す切断位置まで移動できるようになっている。
【００３７】
シリンダ２５は、圧縮エアがエアホース２６を介して供給されるシリンダチューブ２５Ａと、シリンダチューブ２５Ａに供給される圧縮エアによりシリンダチューブ２５Ａの前端（先端）側に移動するリング状の可動部材２５Ｂと、可動部材２５Ｂをシリンダチューブ２５Ａの後端（基端）側に移動付勢すべく、シリンダチューブ２５Ａ内に備えた引っ張りスプリング２７とからなっている。前記可動部材２５Ｂは、シリンダチューブ２５Ａの内面と、鋏１８の基端部が連結固定されて後方へ延出される固定部材２８の外面との間に気密状態で配置されている。従って、圧縮エアがシリンダチューブ２５Ａに供給されていない状態では、可動部材２５Ｂは、引っ張りスプリング２７によりシリンダチューブ２５Ａの後端（基端）側に移動付勢されており（図４（ａ）参照）、圧縮エアがシリンダチューブ２５Ａに供給されると、鋏１８の固定部材２８に位置している可動部材２５Ｂを鋏１８の先端側へ移動させ（図４（ｂ）参照）、開いている切刃１８Ａ，１８Ｂを閉じ側へ揺動操作して上側のシート状部材３の特定部分を切断する（図４（ｂ）参照）。
【００３８】
上記のように構成された切断装置の切断作動について説明する。まず、切断装置の電源スイッチ（図示せず）をＯＮにし、電極パッド置き台６に電極パッド１を位置決め用枠７で位置決めしながら置く。すると、本体部５に備える制御装置は、前記検出手段からの検出信号に基づいて電極パッド１が所定位置にセットされたと判断し、切断スイッチ（図示せず）の動作信号が確認されるまで待機状態を維持する。
【００３９】
切断スイッチの動作信号が確認されると、エアシリンダ１３を伸長作動させて、上側の吸着パッド１０を図３（ａ）の二点鎖線で示す待機状態から実線で示す吸引位置まで下降させる。この状態において、コンプレッサーを吸引作動させて上下一対の吸着パッド１０，１１が電極パッド１を上下方向両側から吸着する（図３（ａ）参照）。この状態から、吸着パッド移動手段１２により下側の吸着パッド１１を電極パッド１の短辺方向（左右幅方向）に沿った横軸１５回りで回転させて上側のシート状部材３に対して下側のシート状部材４を引き離す（図３（ｂ）参照）。
【００４０】
この状態から、上側の吸着パッド１０への吸引を停止した後、エアシリンダ１３を短縮作動させて上側の吸着パッド１０を電極パッド１の上端から離間させる位置まで上昇させるとともに、ロッドレスシリンダ２４のピストンヨーク２４ａを移動させることにより鋏１８が待機位置から切断位置に位置する（図３（ｃ）の二点鎖線参照）。続いて、可動部材２５Ｂが鋏１８の先端側へ移動し、開いている切刃１８Ａ，１８Ｂを閉じ側へ揺動操作して上側のシート状部材３の特定部分である延出部３２を切断し（図４（ｂ）参照）、作業が終了する。尚、延出部３２を切断して端子部２３が露出した状態を、図５（ａ），（ｂ）に示している。
【００４１】
前記切断装置に備えた分離手段８によって、上側のシート状部材３に対して下側のシート状部材４を引き離して分離することができるため、上側のシート状部材３の切断すべき部分（延出部３２）を切断手段９で確実に切断することができる。しかも、切断位置に位置する場合において図３（ｃ）に示すように先端が斜め上方を向いた前上がり傾斜姿勢の鋏１８が斜め上方へ移動することによって、上側の切刃１８Ａが図２（ａ）に示すように右側の突出部３１Ａに当たることなく延出部３２と右側の突出部３１Ａとの間に形成されたデッドスペースＤ（図２（ａ）及び図５（ａ）参照）に入り込むことができる。従って、切断時においても右側の突出部３１Ａの一部を切断してしまうといったトラブル発生もない。また、切断時に上側の吸着パッド１０を電極パッド１の上端から離間させる位置まで上昇させることによって、上側の吸着パッド１０を切断してしまうといったトラブル発生もない。また、下側の吸着パッド１１を横軸回りで回転させる構成にすることによって、吸着パッド１１をスライドさせる構成に比べて、下側のシート状部材４の引き離しに要する吸着パッド１１の移動スペースを少なくすることができる。ここでは、切断したい部分のみを分離させる構成としているが、切断したい部分以外の部分も合わせて分離させてその分離させた部分の一部を切断する構成であってもよい。
【００４２】
尚、本発明に係る粘着シート体の切断装置は、上記実施形態に限定されるものではなく、本発明の要旨を逸脱しない範囲で種々の変更が可能である。
【００４３】
前記実施形態では、切断装置を電極パッド１のシート状部材３の延出部３２を切断する構成としたが、フィルムシールの端を剥がし易いように離型紙に対して粘着剤が塗布されているフィルムの端（一部分）を切断する切断装置であってもよい。
【００４４】
また、前記実施形態では、鋏１８を先端が斜め上方を向いたまま切断位置まで移動させる構成としたが、突出部３１Ａの無い電極パッド１であれば、水平方向に移動させて切断することも可能である。
【００４５】
また、前記実施形態では、吸着パッドを横軸回りで回転させる構成としたが、吸着パッドをスライドさせる構成であってもよい。
【００４６】
また、前記実施形態では、一方の（下側の）シート状部材４を他方の（上側の）シート状部材３に対して離間させたが、他方の（上側の）シート状部材３を一方の（下側の）シート状部材４に対して離間させてもよいし、また両方のシート状部材３，４を離間させる構成であってもよい。このように複数枚のシート状部材のうちの少なくとも表面又は裏面となる一方のシート状部材と他方のシート状部材とを相対的に移動させて分離する構成であれば、どのような構成であってもよい。尚、複数のシート状部材を相対的に移動させるとは、一方のシート状部材のみを移動させる場合、他方のシート状部材のみを移動させる場合、両方のシート状部材を移動させる場合が含まれる。また、実施形態では、２枚のシート状部材であったが、３枚以上のシート状部材を分離させる場合でもよい。
【符号の説明】
【００４７】
１…電極パッド、２…電極板、３，４…シート状部材、５…本体部、６…電極パッド置き台、６Ａ…切欠部、７…位置決め用枠、８…分離手段、９…切断手段、１０，１１…吸着パッド、１２…吸着パッド移動手段（回転シリンダ）、１３…エアシリンダ、１４…支持アーム、１５…横軸、１６…緊急停止ボタン、１７…支持ブラケット、１８…鋏、１９…ピン、２１，２２…電極本体部、２３…端子部、２４…ロッドレスシリンダ、２４ａ…ピストンヨーク、２５…シリンダ、２６…エアホース、２７…スプリング、２８…固定部材、３１…本体部、３２，４２…延出部、４１…本体部、１０１…吸引パッド部、１０２…保持部、１１１…吸引パッド部、１１２…保持部、３１１，４１１…粘着剤層、Ｄ…デッドスペース
【図１】
2013111685.tif 000003
【図２】
2013111685.tif 000004
【図３】
2013111685.tif 000005
【図４】
2013111685.tif 000006
【図５】
2013111685.tif 000007